(57)【要約】【課題】家庭に居ながらにして簡単に健康診断を受けることができ、自らの健康状態を適時知ることのできるようになした通信ネットワークを利用した在宅健康診断システムを提供する。【解決手段】健康診断プログラムを利用するのに不可欠なユーザ識別番号とパスワードが印刷されたカード本体４の当該印字面に内部を透視することのできないシール片５を剥離可能に圧着して通常の状態においては第三者が閲覧することのできないようになしたキーカード６を形成し、当該キーカード６を有価証券として流通させるようにした。特定顧客のノベルティとして使用する場合にはユーザコンピュータ２のディスプレイに当該特定顧客のバナー広告が連動して表示されるようになした。【選択図】  図１
2004178040.tif 000002
【特許請求の範囲】
【請求項１】
サービス提供者が保有する健康診断プログラムを起動するコンピュータと、当該健康診断プログラムの利用を希望するユーザコンピュータとをネットワークを介して接続し、ユーザコンピュータから送信されるユーザ識別番号（以下単にＩＤという）とパスワード（以下単にＰＷという）が一致したときに前記健康診断プログラムによる問診が開始され、所定の問診が終了したときに診断結果がサービス提供者のコンピュータからユーザコンピュータに送信される健康診断システムにおいて、前記ＩＤとＰＷが印刷されたカード本体の当該印字面に内部を透視することのできないシール片を剥離可能に圧着して通常の状態においては第三者が閲覧することのできないようになしたキーカードを形成し、当該キーカードを有価証券として流通させるようにしたことを特徴とする在宅健康診断システム。
【請求項２】
前記ユーザが特定顧客であり、キーカードが当該特定顧客のノベルティとして一般ユーザに頒布され、当該一般ユーザのコンピュータによる問診の際に前記特定顧客のバナー広告がディスプレイ上に表示されるようになっていることを特徴とする請求項１記載の在宅健康診断システム。
【発明の詳細な説明】
【０００１】
【発明の属する技術分野】
本発明は通信ネットワークを介してユーザの健康診断サービスを行なう在宅健康診断システムに関する。
【０００２】
【従来の技術】
疾病を予防するためには定期的に健康診断を受けることが不可欠であり、従来は企業単位や各自治体等において年１回程度実施される定期健康診断が知られている。しかしながら、この健康診断は潜在する病気を発見するのが目的であり、自らの体調等に応じて受診の時期を決める性質のものではなかった。
【０００３】
身体の調子が悪い場合、家庭医学百科事典等を参考にする場合もあるが、通常の医学書類は循環器系、消化器系、呼吸器系等のように体系的に病気が整理されているものであり、自己の諸症状から病気を調べることは仲々難しいことであった。なお、一部の医学書類では症状から病気を調べることのできるようなものもあるが、症状から病気を診断するためには多くの情報量と綿密な解析が必要となるため、本格的に行なうようなことはできず気休め程度の簡単なものでしかなかった。
【０００４】
【発明が解決しようとする課題】
日常生活の中では慢性的に、また時々、あるいは急に身体の調子が悪くなることがあり、病院に行くべきか、投薬で済ませるか種々悩むケースが多い。我慢し過ぎたために病気を悪化させたり、別段悪くはなかったにもかかわらず病院へ行って診てもらったりする例も多い。また、人によっては病院を毛嫌いしたり、医者を前にすると不必要に緊張してそれだけで具合の悪くなってしまう者もおり、このようなことから家庭に居ながらにして手軽に健康診断を受けたいという強い要望がある。
【０００５】
そこで、本発明は家庭に居ながらにして気軽に平常心で健康診断を受けることができ、自らの健康状態を適時知ることのできるようになした通信ネットワークを利用した在宅健康診断システム、特にサービス提供者のコンピュータに対する事前登録を不要にしてＩＤとＰＷを表示したキーカードを有価証券として流通させ、簡便に健康診断を受けることのできるようになした在宅健康診断システムを提供することを目的とするものである。
【０００６】
【課題を解決するための手段】
前記目的を達成するための本発明の構成を詳述すれば、請求項１に係る発明は、サービス提供者が保有する健康診断プログラムを起動するコンピュータと、当該健康診断プログラムの利用を希望するユーザコンピュータとをネットワークを介して接続し、ユーザコンピュータから送信されるユーザ識別番号（以下単にＩＤという）とパスワード（以下単にＰＷという）が一致したときに前記健康診断プログラムによる問診が開始され、所定の問診が終了したときに診断結果がサービス提供者のコンピュータからユーザコンピュータに送信される健康診断システムにおいて、前記ＩＤとＰＷが印刷されたカード本体の当該印字面に内部を透視することのできないシール片を剥離可能に圧着して通常の状態においては第三者が閲覧することのできないようになしたキーカードを形成し、当該キーカードを有価証券として流通させるようにしたことを特徴とする在宅健康診断システムである。
【０００７】
また、請求項２に係る発明は、前記ユーザが特定顧客であり、キーカードが当該特定顧客のノベルティとして一般ユーザに頒布され、当該一般ユーザのコンピュータによる問診の際に前記特定顧客のバナー広告がディスプレイ上に表示されるようになっていることを特徴とする請求項１記載の在宅健康診断システムである。
【０００８】
【発明の実施の形態】
以下、添付図面にしたがって本発明に係る在宅健康診断システムの好ましい実施の形態について詳細に説明する。
図１は本発明に係る在宅健康診断システムの概略構成図、図２はユーザコンピュータの概略構成を示すブロック図、図３はサービス提供者コンピュータの概略構成を示すブロック図、図４はキーカードの一実施形態を示す斜視図である。
【０００９】
図中１はサーバコンピュータを用いた健康診断プログラムを起動するサービス提供者のコンピュータであり、２は通信ネットワーク３を介してサービス提供者のコンピュータ１に接続される複数のユーザコンピュータである。
【００１０】
サービス提供者のサーバコンピュータ１は、ネットワーク３に接続するためのネットワークコントローラ等の通信手段１０１、装置全体の制御を行なう中央処理装置（ＣＰＵ）１０２、健康診断プログラムに関する情報を記憶させたＣＤ−ＲＯＭ等の記憶媒体から情報を読み取ることのできるＣＤ−ＲＯＭドライブ等の補助記憶手段１０３、バナー広告データベース（ＤＢ）１０４、ハードディスク等の不揮発性記憶手段１０５、キーボードやマウス等の入力手段１０６、ディスプレイ等の出力手段１０７を備えている。
【００１１】
パーソナルコンピュータ等からなるユーザコンピュータ２は、ネットワーク３に接続するためのネットワークコントローラ等の通信手段２０１、装置全体の制御を行なう中央処理装置（ＣＰＵ）２０２、ハードディスク等の不揮発性記憶手段２０３、キーボードやマウス等の入力手段２０４、ディスプレイ等の出力手段２０５、および健康診断の結果等を出力するプリンタ等の印刷手段２０６を備えている。
【００１２】
健康診断プログラムの利用を希望するユーザは、自己のユーザコンピュータ２から通信ネットワーク３を介してサービス提供者のコンピュータ１と交信し、サービス提供者のコンピュータ１に対して自己のＩＤとＰＷを送信して、正当なユーザであることが確認されると健康診断プログラムが実行に移され、サービス提供者のコンピュータ１から送信される問診事項に対して、ユーザがＹＥＳ、ＮＯ、あるいは数値を入力する等して回答を送り返す。
【００１３】
この操作を繰り返すことによってユーザの健康に関する情報がサービス提供者のコンピュータ１に送信され、この情報に基づいて健康診断結果がユーザコンピュータ２に届けられ、ユーザは適宜、印刷手段２０６を用いて診断結果をプリントアウトする。なお、サービス提供者のコンピュータ１における不揮発性記憶手段１０５の記憶領域の一部には、ユーザの健康に関する情報、あるいは診断結果等を記録するユーザデータベース等が記憶されており、必要に応じてアクセスできる構成となっている。
【００１４】
上記したようにこの在宅健康診断システムを利用するには、ユーザコンピュータ２からサービス提供者のコンピュータ１にＩＤとＰＷを送信することが不可欠であり、本発明はこのＩＤとＰＷを印刷したキーカードを有価証券として流通させるようにしたものである。なお、ＩＤとＰＷを印刷したキーカードから第三者がＩＤとＰＷを容易に読み取れる状態をなくすため、本発明においてはＩＤとＰＷを印刷したカード本体４の当該印字面に内部を透視することのできないシール片５を剥離可能に圧着して通常の状態においては第三者が閲覧することのできないようになしたキーカード６を形成し、サービス提供者のコンピュータ１に対する事前登録を不要にすると共に、当該キーカード６を有価証券として流通させるようにしたものである。
【００１５】
キーカード６は健康診断プログラムを保有するサービス提供者が発行してネットワーク等を通じて利用希望者である一般のユーザに販売するものであるが、これとは別に販売促進ないし宣伝広告のためにスポンサーである大口の特定顧客の依頼によりキーカードを発行することもあり、この場合には当該特定顧客のノベルティとしてキーカード６が一般のユーザに頒布され、キーカード６を入手したユーザは前記した要領でサービス提供者のコンピュータ１にアクセスして自己の健康状態を即座に知ることができる。
【００１６】
その際、特定顧客に付与したＩＤとＰＷがサービス提供者のコンピュータ１によって確認された場合には、バナー広告ＤＢ１０４より抽出された当該特定顧客のバナー広告がユーザコンピュータ２に送信され、ディスプレイ２０５の広告表示領域に表示される。また、場合によっては広告主である特定顧客のサービスサーバへ接続するためのリンクボタンを広告表示領域の一部に設けるようにすることもできる。
【００１７】
キーカード６には有効期間を定めるか、または有効期間と共に有効利用回数を設定して、たとえば有効期限の１年を経過した場合、あるいは有効期間の１年以内であっても有効利用回数をオーバーした場合には、サービス提供者のコンピュータ１にアクセスしても健康診断プログラムは起動しないようになっている。
【００１８】
また、サービス提供者のサーバコンピュータ１におけるハードディスク等の不揮発性記憶手段１０５に一般ユーザ毎の利用回数を記憶させておいて、所定回数に達したときにはキーカード６の料金を割り引くようにすることも可能である。
なお、キーカード６の有効期間ないし有効利用回数は、キーカードの発行者であるサービス提供者が任意に設定、あるいは変更することができるのは云うまでもない。
【００１９】
【発明の効果】
本発明在宅健康診断システムは以上のように、通信ネットワークを介して健康診断を希望するユーザコンピュータと健康診断に関するサービスの提供者が保有するコンピュータとを接続して、問診と回答を繰り返し行い診断結果をユーザコンピュータに送信するシステムにおいて、健康診断プログラムの起動に不可欠なユーザＩＤとＰＷを第三者が閲覧することのできないようになしたキーカードを形成して、当該キーカードを有価証券として流通させるようにしたものであり、これによってリアルタイムに家庭に居ながら健康診断を受けることができる。
【００２０】
また、特定顧客のためのノベルティとしてキーカードを利用する場合には、キーカードの余剰スペースに当該特定顧客の宣伝広告文を表示することができると共に、ネットワークを介してのサービス提供者との間の問診の際に、当該特定顧客のバナー広告をユーザコンピュータのディスプレイに連動するように表示できるという利点を有する。
【図面の簡単な説明】
【図１】本発明に係る在宅健康診断システムの概略構成図である。
【図２】ユーザコンピュータの概略構成を示すブロック図である。
【図３】サービス提供者のサーバコンピュータの概略構成を示すブロック図である。
【図４】キーカードの一実施形態を示す斜視図である。
【符号の説明】
１：ユーザコンピュータ            ２：サービス提供者のコンピュータ
３：ネットワーク                  ４：カード本体
５：シール片                      ６：キーカード
【図１】
2004178040.tif 000003
【図２】
2004178040.tif 000004
【図３】
2004178040.tif 000005
【図４】
2004178040.tif 000006